(57)【要約】【課題】  ユーザが携帯機器を画像表示装置に接続するだけで、画像表示装置側が自動的に携帯機器のもつ画像データを取り込む処理を行い、取り込んだ画像データを自動的に表示することを可能にし、以って、ユーザに対する操作の負担を可及的に低減できるようにすること。【解決手段】  各種Ｉ／Ｆ部を装備する画像表示装置において、Ｉ／Ｆ部に画像データを持つ携帯機器または記憶媒体が接続された場合、接続されたことによる割り込み信号を検知する割り込み制御部と、割り込み制御部からの指令によって、割り込み信号を発生したＩ／Ｆ部に画像データの入力切り替えを行うスイッチ手段と、切り替えられたＩ／Ｆ部を通じて、携帯機器または前記記憶媒体から取り込んだ画像データを自動的に表示する手段とを、有した構成をとる。【選択図】      図２
2005215158.tif 000002
【特許請求の範囲】
【請求項１】
各種インターフェース部（以下、Ｉ／Ｆ部と記す）を装備する画像表示装置において、
前記Ｉ／Ｆ部に画像データを持つ携帯機器または記憶媒体が接続された場合、接続されたことによる割り込み信号を検知する割り込み制御部と、
前記割り込み制御部からの指令によって、前記割り込み信号を発生した前記Ｉ／Ｆ部に画像データの入力切り替えを行うスイッチ手段と、
前記切り替えられた前記Ｉ／Ｆ部を通じて、前記携帯機器または前記記憶媒体から取り込んだ画像データを自動的に表示する手段とを、
有することを特徴とする画像表示装置。
【請求項２】
請求項１に記載の画像表示装置において、
前記携帯機器または前記記憶媒体から取り込んだ画像データが複数ある場合には、複数の画像データをそれぞれサムネイル画像としてサムネイル一覧画像を表示することを特徴とする画像表示装置。
【請求項３】
請求項１に記載の画像表示装置において、
前記携帯機器は電子メール通信機能を具備し、
前記携帯機器が前記Ｉ／Ｆ部に接続された状態で、前記携帯機器がメールを受信した場合には、前記携帯機器がメールを受信した旨の告知を行うことを特徴とする画像表示装置。
【請求項４】
請求項３に記載の画像表示装置において、
前記携帯機器が前記Ｉ／Ｆ部に接続された状態において、前記携帯機器側で写メールやムービ写メールなどの画像データ付きメールの再生操作を行った場合には、前記携帯機器側で再生された画像データの表示を自動的に行うことを特徴とする画像表示装置。
【請求項５】
請求項１に記載の画像表示装置において、
前記携帯機器はネットワーク通信機能を具備し、
前記携帯機器が前記Ｉ／Ｆ部に接続された状態において、前記携帯機器がネットワークを通じて任意のサイトにアクセスしてＷＥＢ画面などのデータを取得した場合には、携帯機器側で取得した前記データを自動的に取り込んで、取り込んだ前記データの表示を行うことを特徴とする画像表示装置。
【請求項６】
請求項１に記載の画像表示装置において、
前記携帯機器はネットワーク通信機能を具備し、
前記携帯機器がネットワークを通じてダウンロードした曲データを格納するメモリと、  前記メモリに格納された前記曲データ中の画像データを再生出力するための画像処理部と、
前記メモリに格納された前記曲データ中の音声データを再生出力すると共に、マイクを通じて入力されたユーザの声をリアルタイムで音声データとして出力するための音声処理部とを、有し、
カラオケを楽しむ機能を備えたことを特徴とする画像表示装置。
【請求項７】
請求項６に記載の画像表示装置において、
カラオケで歌った前記ユーザの声と前記曲データ中の音声データとを合成処理し、前記メモリに格納することを特徴とする画像表示装置。
【請求項８】
請求項６に記載の画像表示装置において、
前記携帯機器を前記マイクとして使用することを特徴とする画像表示装置。
【請求項９】
請求項１乃至８の何れか１項に記載の画像表示装置において、
前記画像表示装置に記憶された画像データまたは音声データを、前記携帯機器または前記記憶媒体に転送して記憶させる機能を備えたことを特徴とする画像表示装置。
【請求項１０】
各種Ｉ／Ｆ部を装備する画像表示装置の制御方法において、
前記Ｉ／Ｆ部に画像データを持つ携帯機器または記憶媒体が接続された場合、接続されたことによる割り込み信号を検知して、前記割り込み信号を発生した前記Ｉ／Ｆ部に画像データの入力切り替えを自動的に行い、前記携帯機器または前記記憶媒体から取り込んだ画像データを自動的に表示することを特徴とする画像表示装置の制御方法。
【発明の詳細な説明】
【技術分野】
【０００１】
本発明は、画像表示装置およびその制御方法に係り、特に例えば、液晶ディスプレイ、プラズマディスプレイ、液晶プロジェクタなどの比較的大画面の画像が出力可能な画像表示装置と、この画像表示装置に適宜のＩ／Ｆ（インターフェース）を介して接続されるデジタルカメラ、携帯電話機などの携帯機器や、記憶媒体との間における、データの授受手法や、それに基づく画像表示装置の動作制御手法にかかわる技術に関するものである。
【背景技術】
【０００２】
近年、デジタルカメラ、カメラ付き携帯電話機の一般家庭への普及は、急速に高まっており、その画素数に関しても、デジタルカメラで５００万画素、携帯電話機で１００万画素レベルのものが登場してきている。しかし、デジタルカメラ、携帯電話機などの小型の携帯機器は、その表示画面の大きさが自ずと制限されるので、撮影した画像を限られた画面サイズでしか見ることができないという問題がある。撮影する画像データの画素数が少ない場合にはさほど問題とはならないが、前記したように、１００万画素以上のレベルとなってきた今では、それ相応の画面サイズで、且つ簡単に見たいというニーズは必ず存在すると考えられる。
【０００３】
ところで、携帯電話機に関しては、携帯電話機と比較的大画面をもつモニタ装置とを接続して、携帯電話機からモニタ装置に送信したデータを、モニタ装置の大きな画面で表示するようにした技術が提案されている。例えば、携帯電話機がホームページにアクセスして取得した文字や画像などのデータを、携帯電話機の小画面での表示範囲より広いフルスクリーンサイズに変更する処理を携帯電話機側で行って、携帯電話機に接続された外部モニタにフルスクリーンサイズのデータを表示させるようにした技術が知られている（特許文献１参照）。また、携帯電話機とテレビ受信機とを近距離無線通信手段などで接続して、テレビ受信機側において携帯電話機から受信したデータをテレビ映像信号に変換処理して、携帯電話機の表示画面に表示されている画像と同一の画像を、テレビ受信機において表示するようにした技術も知られている（特許文献２参照）。
【特許文献１】特開２００２−１１１８０２号公報
【特許文献２】特開２００３−２４４２８９号公報
【発明の開示】
【発明が解決しようとする課題】
【０００４】
しかしながら、特許文献１に示された技術では、その時点で無線網を介して受信したデータのみを携帯電話機が外部モニタに出力するようにしており、携帯電話機が撮影してメモリに格納した画像データを外部モニタに出力することに関しては、何ら考慮が払われていない。また、外部モニタに出力するデータは携帯電話機側で加工処理するようになっているため、携帯電話機側に処理の負担がかかり、かつ、外部モニタに出力するデータのサイズ変更は携帯電話機側の操作で行うので、携帯電話機の操作に不慣れなユーザには使い勝手が悪い。さらに、テレビモニタなどの外部モニタが、携帯電話機から送信されてきたデータを自動的に優先表示することに関しての記載がなく、例えばテレビモニタで番組を視聴中に、携帯電話機から送信されてきたデータを優先的に表示させるには、テレビモニタ側で何らかの操作が必要であるとも考えられる。さらにまた、外部モニタ側に備えられるＩ／Ｆについては何らの記載もなく、外部モニタが携帯電話機などの接続機器の種別を認知して、外部モニタ側から携帯電話機などの接続機器に対して自動的に所定のデータの転送要求を行うことや、外部モニタ側が入力されてきたデータを必要に応じて自動的に加工処理することに関しても、何ら考慮が払われていない。
【０００５】
また、特許文献２に示された技術では、携帯電話機を操作することによって、テレビ受信機にデータを送信するようにしているため、携帯電話機の操作に不慣れなユーザには使い勝手が悪い。また、携帯電話機の表示画面に表示されている画像と同一の画像のみを、テレビ受信機で表示するので、例えば、現在、携帯電話機の表示画面に表示されてはいないが、携帯電話機が撮影してメモリに格納している画像データをテレビ受信機で見るためには、携帯電話機側でメモリに格納された画像データを、携帯電話機の表示画面に呼び出す操作が必要となり、この点でも、携帯電話機の操作に不慣れなユーザには使い勝手が悪いものとなっている。つまり、この特許文献２においても、テレビ受信機側から携帯電話機などの接続機器に対して自動的に所定のデータの転送要求を行うことや、テレビ受信機側が入力されてきたデータを必要に応じて自動的に加工処理することに関しても、何ら考慮が払われていない。
【０００６】
ここで、現状の携帯電話機においては、物理Ｉ／Ｆとしては現状シリアル通信しかなく、速度的に動画像を扱えるものではない。また、現状のデジタルカメラにおいては、液晶ディスプレイ、プラズマディスプレイ、液晶プロジェクタなどの画像表示装置とのＩ／Ｆとして、コンポジットビデオ端子が装備されている機種が存在するが、これはアナログ信号でのやりとりのため、画質の劣化は免れない。
【０００７】
ところで、現在発売されているデジタルカメラのほぼ１００％は、外部Ｉ／ＦとしてＵＳＢ（Universal Serial Bus）を装備しており、また、無線ＬＡＮ、Blue−Tooth（商標）などを装備したものも登場し始めていて、今後、デジタルカメラにおいて伝送性能のよい多様な外部Ｉ／Ｆ（デジタルＩ／Ｆ）を装備した機種が登場してくると想定される。また、携帯電話機においても、無線ＬＡＮ、BlueToothなどを搭載した機種も登場してきており、また、ＵＳＢに関しても、米Qualcomm社が、米TransDimension社からＵＳＢ−ＯＴＧのライセンス供与を受ける契約を結ぶ（２００２／１１）など、今後の動向が注目されている。つまり、今後、携帯電話機においても、取り扱いの容易なＵＳＢを標準装備したり、伝送性能のよい多様な外部Ｉ／Ｆを装備した機種が登場してくると想定される。
【０００８】
本発明は、こうした背景の中、液晶ディスプレイ、プラズマディスプレイ、液晶プロジェクタなどの画像表示装置と、デジタルカメラ、携帯電話機などの携帯機器とを、各種デジタルＩ／Ｆを利用して接続可能となる環境を前提としてなされたものであり、その目的とするところは、前記した特許文献１、２がもつ問題点を解消して、ユーザが携帯機器を画像表示装置に接続するだけで、画像表示装置側が自動的に携帯機器のもつ画像データを取り込む処理を行い、取り込んだ画像データを自動的に表示することを可能にし、以って、ユーザに対する操作の負担を可及的に低減できるようにすることで、ユーザにとって使い勝手と利便性に優れた、画像表示装置と携帯機器間の連携動作形態を実現することにある。また、本発明の他の目的とするところは、画像表示装置と携帯機器との連携により、ユーザに新たな楽しみ方を提供できるようにすることにある。
【課題を解決するための手段】
【０００９】
上記した目的を達成するため、本願による代表的な１つの発明では、各種Ｉ／Ｆ部を装備する画像表示装置において、
Ｉ／Ｆ部に画像データを持つ携帯機器または記憶媒体が接続された場合、接続されたことによる割り込み信号を検知する割り込み制御部と、
割り込み制御部からの指令によって、割り込み信号を発生したＩ／Ｆ部に画像データの入力切り替えを行うスイッチ手段と、
切り替えられたＩ／Ｆ部を通じて、携帯機器または前記記憶媒体から取り込んだ画像データを自動的に表示する手段とを、
有する。
【発明の効果】
【００１０】
本発明によれば、液晶プロジェクタなどの画像表示装置の、例えばＵＳＢＩ／Ｆ部に、デジタルカメラ、携帯電話機などの携帯機器をＵＳＢケーブルで接続するだけで、画像表示装置は、携帯機器がＵＳＢＩ／Ｆ部に接続され、接続された機器がどのような素性の機器であるかを認知し、接続された携帯機器が例えばデジタルカメラのような画像データを所持する機器である場合には、ＵＳＢＩ／Ｆ部を優先選択して画像データの入力切り替えを行って、携帯機器に対してそれが所持する画像データの転送要求を行い、転送されてきた画像データを必要に応じて適宜に加工処理して画像データを表示するようになっているので、ユーザは、デジタルカメラや携帯電話機を液晶プロジェクタなどの画像表示装置に単に接続するという単純な操作だけで、デジタルカメラや携帯電話機で撮影した画像など携帯機器が保持する画像を、液晶プロジェクタなどの画像表示装置で拡大して鑑賞し、楽しむことができる。よって、操作に不慣れなユーザなどにとっても使い勝手に優れたものとなり、大いに利便性が高まる。また、ネットワーク通信機能を有する携帯電話機などの携帯機器を画像表示装置に接続して使用する場合には、携帯機器の通信機能を利用した、画像表示装置と携帯機器との連係動作で、ユーザにとって利便性の高い種々の画像表示装置の利用形態が実現でき、例えば、液晶プロジェクタなどの画像表示装置と携帯電話機とを連携させてカラオケなどを楽しむ環境を実現することで、ユーザに新たな楽しみ方を提供することができる。
【発明を実施するための最良の形態】
【００１１】
以下、本発明の実施の形態を、図面を用いて説明する。
【００１２】
図１は、本発明の一実施形態に係る画像表示装置としての液晶プロジェクタに、携帯機器としてのデジタルカメラを接続した状態の説明図であり、図１に示した本例は、液晶プロジェクタとデジタルカメラとを、ＵＳＢケーブルによってダイレクト接続した適用例である。
【００１３】
図１において、１０１は液晶プロジェクタ（画像表示装置）、１０２はデジタルカメラ（携帯機器）、１０３は、液晶プロジェクタ１０１とデジタルカメラ１０２とを接続したＵＳＢケーブル、１０４Ａは、液晶プロジェクタ１０１によって図示せぬスクリーン上に拡大投射された表示画像である。
【００１４】
本実施形態の液晶プロジェクタ１０１はＵＳＢホスト機能を具備しており、液晶プロジェクタ１０１にデジタル１０２をＵＳＢケーブル１０３を用いて接続するだけで、液晶プロジェクタ１０１はこの接続を契機としてデジタルカメラ１０２と信号をやり取りし、接続された機器がどのような素性の機器であるかを認知して、すなわち、この場合は接続された機器がデジタルカメラ１０２であることを認知して、然る後、デジタルカメラ１０２に対してそれが保持する画像データの転送要求を行って、転送されてきた画像データを取り込み、取り込んだ画像データを必要に応じて適宜に加工処理して、画像データを表示画像１０４Ａとして、自動的に表示するようになっている。図１では、液晶プロジェクタ１０１が、デジタルカメラ１０２から複数の静止画データを取り込んで、各静止画データをサムネイル画像とし、各サムネイル画像を一覧とするように加工処理して、サムネイル画像一覧を表示画像１０４Ａとして表示した例を示している。なお、デジタルカメラ１０２から取り込んだ複数の画像データに、動画データが含まれる場合には、動画データの先頭の画像をサムネイル画像として、同様のサムネイル画像一覧を表示画像１０４Ａとして表示するようになっている。
【００１５】
図２は、本実施形態の液晶プロジェクタ（画像表示装置）１０１の要部構成を示すブロック図で、同図においては、本発明の要旨と直接関係しない構成要素に関しては、図示を割愛してある。
【００１６】
図２において、２０１は装置全体の統括制御を司るＣＰＵ、２０２は、各種データの格納に用いられるとともにワークエリアとしても使用されるメモリ、２０３はＭＰＥＧなどの動画データの圧縮・伸張処理を行う動画処理部、２０４はＪＰＥＧなどの静止画データの圧縮・伸張処理を行う静止画処理部、２０５は、表示画像して表示する画像に文字・シンボル・枠データ等々の適宜表示データを重畳させるためのＯＳＤ処理部、２０６は、画像のリサイズ、周波数変換などを行うスケーラ部、２０７は表示する画像を生成する表示画像生成部、２０８は、表示画像生成部２０７が生成した画像を液晶パネル２０９に表示させるための液晶駆動部、２０９は、表示画像を表示し、図示せぬ照明系や光学系と協働して、図示せぬスクリーン上に表示画像を投射表示させるための液晶パネル、２１０は音声データをデコード・エンコード処理する音声処理部、２１１は、音声処理部２１０の出力を受けて音を出力するスピーカ、２１２は、図示せぬマイクや携帯電話機からの音声の入力を受けてこれを適宜に処理して音声処理部２１０へ出力するための、音声入力用のＩ／Ｆ（インターフェース）部である音声Ｉ／Ｆ部である。
【００１７】
また、２１３はシリアル通信用のＩ／Ｆ部であるＵＡＲＴ（Universal Asynchronous Receiver／Transmitter）部、２１４〜２１７は、外部機器や記憶媒体と画像データなどの入出力を行うための、それぞれＵＳＢＩ／Ｆ部、Flash CardＩ／Ｆ部、VideoＩ／Ｆ部、ＰＣＩ／Ｆ部、２１８は、ユーザによる操作パネル２１９や図示せぬリモコンの操作入力を受け付けるとともに、各Ｉ／Ｆ部２１４〜２１７を制御などする入出力Ｉ／Ｆ部、２１９はユーザが各種の操作を行う操作パネル、２２０は、入出力Ｉ／Ｆ部２１８の制御のもとに、各Ｉ／Ｆ部２１４〜２１７に対する画像データなどの入出力を切り替えるスイッチ部、２２１は割り込み制御を行う割り込み制御部である。
【００１８】
本実施形態の液晶プロジェクタ１０１に、デジタルカメラ１０２がＵＳＢケーブル１０３により接続された際の動作例を説明する。図２に示す構成において、ＵＳＢＩ／Ｆ部２１４に、ＵＳＢケーブル１０３を介してデジタルカメラ１０２が接続されると、割り込み制御部２２１は、ＵＳＢＩ／Ｆ部２１４からの割り込み信号を検知し、これに基づいてデジタルカメラ１０２と所定の通信プロトコルに則った初期通信を行い、ＵＳＢＩ／Ｆ部２１４に接続された機器がデジタルカメラ１０２であることを認知して、ＣＰＵ２０１に対して、ＵＳＢＩ／Ｆ部２１４に新たにデジタルカメラ１０２が接続されたことを通知する。これを受けて、ＣＰＵ２０１は、入出力Ｉ／Ｆ部２１８に対して、ＵＳＢＩ／Ｆ部２１を優先選択しＵＳＢＩ／Ｆ部２１４を通じて画像データの入力が行われるように、切り替え信号を出力する。これにより、入出力Ｉ／Ｆ部２１８は、ＵＳＢＩ／Ｆ部２１４を有効にするようスイッチ部２２０を切り替える。続いて、ＣＰＵ２０１は、ＵＳＢＩ／Ｆ部２１４を通じて、デジタルカメラ１０２に対してデジタルカメラ１０２が保持している全ての画像データを転送するように要求し、これを受けたデジタルカメラ１０２から、画像データの転送を受けた液晶プロジェクタ１０１は、デジタルカメラ１０２から取り込んだ画像データをメモリ２０２に格納する。
【００１９】
メモリ２０２に格納された画像データのうち、動画データは動画処理部２０３により伸張処理され、静止画データは静止画処理部２０４により伸張処理されて、スケーラ部２０６により画像パラメータを調整された後、ＣＰＵ２０１の制御のもとに動作する所定の表示処理プログラムのアルゴリズムに従い、デジタルカメラ１０２の接続時に自動的に表示する画像が表示画像生成部２０７で生成されて、これが液晶パネル２０９で表示されることにより、前述した図１に示すような表示画像１０４Ａが図示せぬスクリーン上に表示される。
【００２０】
ここで、図１に示した表示画像１０４Ａは、デジタルカメラ１０２から取り込んだ画像データが複数あって、各画像データをそれぞれサムネイル画像化してサムネイル一覧画像を表示した例を示しているが、デジタルカメラ１０２から取り込んだ画像データが１つである場合には、この１つの画像のみをスクリーンにフルスケールで表示するようにされ、さらに、この１つの画像データが動画データであるときには、先頭画面のみを静止表示するのではなく、動画として表示するようにされる。なお、デジタルカメラ１０２から取り込んだ画像データが複数である場合には、各画像を１つずつスクリーンにフルスケールで、順次切り替えて表示するようにしてもよい。あるいは、デジタルカメラ１０２から取り込んだ画像データが複数である場合には、例えば２つの画像をスクリーンの半分ずつに表示し、この２画像表示の表示画像を順次切り替えて表示する、などとしてもよい。なおまた、デジタルカメラ１０２から取り込んだ画像データが複数であって、サムネイル一覧画像を表示する場合において、複数の画像データに動画データと静止画データとが混在しているときには、動画データは先頭画面のみを静止表示するのではなく、動画データはサムネイル画像において動画として表示するようにしてもよい。
【００２１】
また、液晶プロジェクタ１０１からデジタルカメラ１０２に対しての画像データの転送要求を行った際に、デジタルカメラ１０２から画像データを保持していない旨の返信があった場合や、デジタルカメラ１０２から転送されてきた画像データが正常に受信ないしはデコードできなかった場合には、ＣＰＵ２０１は、この旨を示すメッセージをＯＳＤ処理部２０５で生成させて、これをメッセージ表示画像として表示させる。
【００２２】
なお、図１に示した例では、画像表示装置として液晶プロジェクタ１０１を、この液晶プロジェクタ１０１に接続される画像データを保持した携帯機器としてデジタルカメラ１０２を例にとったが、画像表示装置としては液晶プロジェクタ１０１以外にも、液晶ディスプレイ、プラズマディスプレイなどが適用可能であり、画像データを保持した携帯機器としてはデジタルカメラ１０２以外にも、デジタルビデオカメラ、携帯電話機などが適用可能であり、さらに、画像表示装置に接続されるものとしては、携帯機器以外にも、画像データを保持したＳＤカード、メモリスティックといったフラッシュカードなどの記憶媒体にも適用可能である。また、図１に示した例では、画像表示装置のＵＳＢＩ／Ｆ２１４への接続を例にとったが、携帯機器や記憶媒体を接続するＩ／Ｆ部としては、Flash CardＩ／Ｆ部２１５、VideoＩ／Ｆ部２１６、ＰＣＩ／Ｆ部２１７や、図示していないが、無線ＬＡＮＩ／Ｆ部、Blue−ToothＩ／Ｆ部、赤外線通信Ｉ／Ｆ部などの無線通信Ｉ／Ｆ部が適用可能である。
【００２３】
そして、本発明の画像表示装置では、画像表示装置の各種Ｉ／Ｆ部に、画像データを保持した携帯機器または記憶媒体が接続されたとき、あるいは無線通信Ｉ／Ｆ部の場合には接続が確立されたときには、携帯機器または記憶媒体が接続されたこと（あるいは接続が確立されたこと）で割り込み信号を検知し、これを契機として相手の素性を確認して、接続されたＩ／Ｆ部に対して、画像データの入力が行われるよう画像データの入力切り替えを行って、携帯機器または記憶媒体からの画像データの取り込みを自動的に行い、取り込んだ画像データの表示を自動的に行うようになっているので、ユーザは、単に接続するという単純な操作だけで、デジタルカメラ１０２や携帯電話機で撮影した画像を、液晶プロジェクタ１０１などの画像表示装置で拡大して鑑賞し、楽しむことができる。よって、操作に不慣れなユーザなどにとっても使い勝手に優れたものとなり、大いに利便性が高まる。
【００２４】
なお、上述した説明では、画像入出力用のＩ／Ｆ部の画像データ入力切り替えを自動的に行うようにしているが、操作パネル２１９などの操作によってマニュアルで切り替えるようにすることも可能である。
【００２５】
図３は、本発明の一実施形態に係る画像表示装置としての液晶プロジェクタ１０１に、携帯機器としての携帯電話機３０１を接続した状態の説明図である。図３に示した本例は、液晶プロジェクタ１０１と携帯電話機３０１とを、ＵＳＢケーブル１０３によってダイレクト接続した適用例であり、図３において、１０４Ｂは、液晶プロジェクタ１０１によって図示せぬスクリーン上に拡大投射された表示画像である。
【００２６】
図３に示す本例においても、液晶プロジェクタ１０１に携帯電話機３０１をＵＳＢケーブル１０３を用いて接続するだけで、液晶プロジェクタ１０１はこの接続を契機として（すなわち、割り込み信号を検知することで）携帯電話機３０１と信号をやり取りし、接続された機器がどのような素性の機器であるかを認知して、すなわち、この場合は接続された機器が携帯電話機３０１であることを認知して、然る後、携帯電話機３０１に対してそれが保持する画像データの転送要求を行って、転送されてきた画像データを取り込み、取り込んだ画像データを必要に応じて適宜に加工処理して、画像データを表示画像１０４Ｂとして、自動的に表示するようになっている。図１では、液晶プロジェクタ１０１が、携帯電話機３０１から１つの静止画データを取り込んで、この静止画データをスクリーンにフルスケールで表示画像１０４Ｂとして表示した例を示しており、携帯電話機３０１のサイズの小さい画面では小さな表示画像としてしか見られぬものを、大画面の表示で見ることができるようにしている。
【００２７】
図４は、図３中の携帯電話機３０１の要部構成例を示すブロック図である。図４において、４０１は携帯電話機３０１の統括制御を司るＣＰＵ、４０２は、各種データの格納に用いられるとともにワークエリアとしても使用されるメモリ、４０３は、電話通信処理や、ネットワークに接続して電子メールデータなどのデータを送受信する処理を行う通信処理部、４０４は、ユーザの操作に応じて被写体を撮影し、撮影した被写体像データを適宜に処理する画像処理機能を備えたカメラ部、４０５は、各種操作画面、撮影した被写体の画像、電子メールの受信通知や電子メールの内容などを表示する表示部、４０６は、ユーザが各種の指示を入力するための各種キーを備えたキー入力部、４０７は、外部機器との接続Ｉ／Ｆ部としてのＵＳＢＩ／Ｆ部である。
【００２８】
図３に示す本例でも、液晶プロジェクタ１０１に携帯電話機３０１をＵＳＢケーブル１０３を用いて接続するだけで、上述したように、液晶プロジェクタ１０１は、携帯電話機３０１からそれが保持する例えばカメラ部４０４で撮影した画像データなどを取り込んで、取り込んだ画像データを必要に応じて適宜に加工処理して自動的に表示する。この自動で表示する表示形態は、取り込んだ画像データの数や、動画像データであるか静止画像データであるかに応じて、先に、デジタルカメラ１０２が接続された場合で説明したように、任意の各種の表示形態で自動的に表示させることができるようになっている。
【００２９】
また、液晶プロジェクタ１０１に携帯電話機３０１がＵＳＢケーブル１０３を介して接続された状態で、携帯電話機３０１側において、写メールもしくはムービ写メールなどの画像データ付きメールの再生操作を行うと、液晶プロジェクタ１０１において前記したような接続を契機とした自動表示を行っている途中や、接続を契機とした自動表示の完了後に例えば映画などを再生している途中であっても、画像データ付きメールの再生を、液晶プロジェクタ１０１でも、自動で優先して行うように、液晶プロジェクタ１０１は動作モードを切り替える。すなわち、液晶プロジェクタ１０１は、携帯電話機３０１からの画像データ付きメールの再生を通知する信号により、携帯電話機３０１での画像データ付きメールの再生を認知すると、携帯電話機３０１に対して再生した画像データ付きメールの転送要求を行い、携帯電話機３０１からＵＳＢケーブル１０３を通して、写メールデータもしくはムービ写メールデータなどのデータを取り込む。そして、液晶プロジェクタ１０１は、取り込んだ写メールデータもしくはムービ写メールデータなどのデータを、画像データと音声データとに分離する。分離された画像データは、動画処理部２０３または静止画処理部２０４によりデコードされ、スケーラ部２０６によってリサイズ、周波数変換等の処理を施された後、表示画像生成部２０７で表示する表示画像データが生成されて、これが液晶パネル２０９で表示されることにより、スクリーン上に画像データ付きメールの添付画像の再生画像が大画面で表示される。また、分離された音声データは、音声処理部２１０でデコードされて、スピーカ２１１から画像データ付きメールの再生音声として、比較的に大きな音量で出力される。
【００３０】
また、液晶プロジェクタ１０１に携帯電話機３０１がＵＳＢケーブル１０３を介して接続された状態で、携帯電話機３０１側においてネットワーク接続操作を行って、ネットワークを通じて任意のサイトにアクセスして、携帯電話機３０１がＷＥＢ画面などのデータを取得した場合には、液晶プロジェクタ１０１において前記したような接続を契機とした自動表示を行っている途中や、接続を契機とした自動表示の完了後に例えば映画などを再生している途中であっても、携帯電話機３０１が取り込んで表示しているＷＥＢ画面などのデータを、液晶プロジェクタ１０１側でも優先して自動的に表示するように、液晶プロジェクタ１０１は動作モードを切り替える。すなわち、液晶プロジェクタ１０１は、携帯電話機３０１からのＷＥＢ画面などのデータ取得を通知する信号により、携帯電話機３０１側でのネットワーク経由のＷＥＢ画面などのデータの取得を認知すると、携帯電話機３０１に対して取得したＷＥＢ画面などのデータの転送要求を行い、携帯電話機３０１からＵＳＢケーブル１０３を通して、ＷＥＢ画面などのデータを取り込む。そして、液晶プロジェクタ１０１は、取り込んだＷＥＢ画面などのデータを、前述したように画像処理して、スクリーン上にＷＥＢ画面などのデータを大画面で表示する。図５は、液晶プロジェクタ１０１がＷＥＢ画面を表示画像１０４Ｃとして表示した例を示している。
【００３１】
また、液晶プロジェクタ１０１に携帯電話機３０１がＵＳＢケーブル１０３を介して接続された状態で、携帯電話機３０１がメールを受信した場合には、液晶プロジェクタ１０１はどのような表示画像を表示している最中であっても、現在表示している表示画像上に、携帯電話機３０１がメールを受信した旨を知らせるメッセージを重畳表示する。すなわち、液晶プロジェクタ１０１は、携帯電話機３０１からメールを受信した旨を通知する信号により、携帯電話機３０１でのメールの受信を認知すると、液晶プロジェクタ１０１は、ＯＳＤ処理部２０５により、携帯電話機３０１がメールを受信した旨を表示するためのメッセージ（文字）を生成させて、これを現在表示中の表示画面の適宜の箇所に重畳して表示する。図６の表示画像１０４Ｄは、液晶プロジェクタ１０１において例えば映画の画面の表示を行っている際に、「メールを受信しました」というメッセージをＯＳＤ機能で表示している例を示している。なお、液晶プロジェクタ１０１に携帯電話機３０１がＵＳＢケーブル１０３を介して接続された状態で、携帯電話機３０１がメールを受信したことを告知する手法としては、音声などの音による告知や、ＬＥＤ表示による告知などを採用してもよい。
【００３２】
また、上述した例では、携帯電話機３０１において、写メールもしくはムービ写メールなどの画像データ付きメールの再生操作を行うことや、ネットワークを通じて任意のサイトにアクセスしてＷＥＢ画面などのデータを取得することで、液晶プロジェクタ１０１が自動的に表示モードを切り替えるようにしているが、液晶プロジェクタ１０１および／または携帯電話機３０１のマニュアル操作によって、液晶プロジェクタ１０１に、写メールもしくはムービ写メールの再生画面の表示や、ＷＥＢ画面の表示を行わせるようにしてもよい。
【００３３】
なお、液晶プロジェクタ１０１に携帯電話機３０１などの充電式の携帯機器を、ＵＳＢケーブル１０３によって接続するようにした場合には、ＵＳＢバスパワーによる携帯機器への充電を行うことも可能である。
【００３４】
さらにまた、液晶プロジェクタ１０１などの本発明による画像表示装置への、携帯電話機３０１の接続に関しても、先にも述べたように、ＵＳＢＩ／Ｆ以外の各種のＩ／Ｆを用いることが可能であることは、言うまでもない。
【００３５】
図７は、本発明の一実施形態に係る画像表示装置としての液晶プロジェクタ１０１に、携帯機器としての携帯電話機３０１と、カラオケ用のマイク７０１とを接続した状態の説明図である。図７に示した本例は、液晶プロジェクタ１０１に携帯電話機３０１をＵＳＢケーブル１０３によってダイレクト接続するとともに、液晶プロジェクタ１０１にマイクケーブル７０２によりカラオケ用のマイク７０１を接続した適用例である。図７において、１０４Ｅは、液晶プロジェクタ１０１によって図示せぬスクリーン上に拡大投射された表示画像であり、ここではカラオケ用の表示画像となっている。
【００３６】
図７に示した本例は、携帯電話機３０１のネットワーク通信機能を用いることにより、携帯電話機３０１が、ネットワークを通じてカラオケの曲データ提供サイトにアクセスし、携帯電話機３０１がネットワークを通じてダウンロードした任意の曲データを、液晶プロジェクタ１０１に転送して格納させ、液晶プロジェクタ１０１を用いて、家庭で気軽に最新のカラオケを楽しむことができる環境を実現するようにしたものである。
【００３７】
カラオケを楽しむために、液晶プロジェクタ１０１に携帯電話機３０１をＵＳＢケーブル１０３により接続した状態で、まず、携帯電話機３０１を操作して、ネットワークを通じて任意のカラオケの曲データ提供サイトにアクセスし、所望の曲データを選択してこのダウンロードを指示することによって、曲データはネットワークを通じて携帯電話機３０１にダウンロードされ、ダウンロードされた曲データは、ＵＳＢケーブル１０３を通し液晶プロジェクタ１０１に転送されて、メモリ２０２に格納される。この携帯電話機３０１がダウンロードした曲データの液晶プロジェクタへの転送は、ここでは、携帯電話機３０１側のダウンロード開始を契機として自動的に行われるが、液晶プロジェクタ１０１および／または携帯電話機３０１のマニュアル操作によって行うようにしてもよい。このようにして、液晶プロジェクタ１０１のメモリ２０２に、例えば複数の曲データが携帯電話機３０１を経由してダウンロードされ格納される。
【００３８】
次に、液晶プロジェクタ１０１の操作パネル２１９を適宜に操作することで、液晶プロジェクタ１０１をカラオケモードに設定し、例えば表示画面と対話式にメモリ２０２内の所望の曲データを選択し、再生を指示して、曲データの再生を開始させる。なお、曲データの選択、再生の指示は、携帯電話機３０１側においても行えるようにしてもよい。
【００３９】
ここで、曲データは、例えばＭＰＥＧで圧縮されたデータであり、選択されて曲データの再生が指示されると、画像データと音声データとに分離される。そして、画像データは、動画処理部２０３やスケーラ部２０６で前記したような処理を施された後、表示画像生成部２０７で表示する表示画像データが生成されて、これが液晶パネル２０９で表示されることにより、スクリーン上に曲データの画像データの再生画像が大画面で表示される。また、音声データは、音声処理部２１０でデコードされて、スピーカ２１１から曲データ再生音声（再生曲音）として出力される。この状態で、ユーザがマイク７０１を用いて再生された曲を歌うと、マイク７０１を通じて音声Ｉ／Ｆ部２１２に入力されたユーザの声は、音声処理部２１０において、再生されている曲データの音声とリアルタイムで合成されて、スピーカ２１１から曲データの音声とユーザの歌った声とが出力される。なお、音声処理部２１０に、例えばエコー効果を発生させる機能を具備させ、マイク７０１を通じて入力されたユーザのリアルタイムの声とこれを遅延させたものとを、合成処理して出力させることも可能である。
【００４０】
また、音声処理部２１０により、カラオケで歌ったユーザの声と再生された曲データの再生音声とを合成した声データは、自動的にあるいはユーザのマニュアル操作によって、メモリ２０２に格納可能となっている。したがって、カラオケで歌ったユーザの声と再生された曲データの再生音声とを合成した声データは、液晶プロジェクタ１０１において、任意の時点で再生して聞きなおすことができるだけでなく、ＵＳＢＩ／Ｆ部２１４を通して、携帯電話機３０１内のメモリ４０２や、携帯電話機３０１に装着されたＳＤカード、メモリスティックなどのブリッジメディアへ転送して、格納させることができるようになっている。このようにすることで、例えば、カラオケで歌ったユーザの声と再生された曲データの再生音声とを合成した声データを、携帯電話機３０１のメモリ４０２に格納することで、自分の歌声の音声データを携帯電話機３０１の着メロとして使用することも可能となる。
【００４１】
なお、図７に示した本例では、マイク７０１をマイクケーブル７０２により液晶プロジェクタ１０１に接続した構成としているが、赤外線などを使ったワイヤレスシステムであっても構わない、さらに、携帯電話機３０１そのものを、マイクとして使用する構成としても差し支えない。
【００４２】
以上のように図７に示した本例では、最新音楽の曲データを携帯電話機３０１などのネットワーク通信機能をもつ携帯機器を用いて、液晶プロジェクタ１０１などの画像表示装置へ曲データをダウンロードすることによって、家庭において画像表示装置により手軽にカラオケを楽しむことができる。また、自分の歌声を音声データとして保存することができるため、例えば、自分の歌声の音声データを携帯電話機３０１の着メロとして使用することができる。
【００４３】
なお、本発明による液晶プロジェクタ１０１などの画像表示装置は、各種Ｉ／Ｆにより携帯機器または記憶媒体と接続して相互通信を行い、携帯機器または記憶媒体から取り込んだデータや、取り込んで加工したデータを保持する機能を有しており、これらのデータをマニュアル操作で編集、消去したり、外部に出力可能となっている。そこで、前記したカラオケで歌った歌声の音声データ以外にも、液晶プロジェクタ１０１などの画像表示装置が保持している任意のデータを、ＰＣを用いなくても、画像表示装置から携帯機器または記憶媒体に転送して、これを携帯機器または記憶媒体に保持させることも可能である。例えば、デジタルカメラＡで撮影した画像データを、デジタルカメラＢや携帯電話機に転送して格納することで、デジタルカメラＡで撮影した画像データを、デジタルカメラＢや携帯電話機で手軽に鑑賞して楽しむことが可能となる。
【００４４】
以上のように本発明では、液晶ディスプレイ、プラズマディスプレイ、液晶プロジェクタなどの比較的大画面の画像が出力可能な画像表示装置が装備する各種Ｉ／Ｆ部に、画像データを保持したデジタルカメラ、携帯電話機などの携帯機器、あるいは、画像データを保持したＳＤカード、メモリスティックといったフラッシュカードなどの記憶媒体を、単に接続するという単純な操作だけで、携帯機器あるいは記憶媒体が保持する画像を画像表示装置で自動的に取り込んで、画像表示装置において拡大して鑑賞し、楽しむことができるので、操作に不慣れなユーザなどにとっても使い勝手に優れたものとなり、大いに利便性が高まる。また、ネットワーク通信機能を有する携帯機器を画像表示装置に接続して使用する場合には、携帯機器の通信機能を利用した、画像表示装置と携帯機器との連係動作で、ユーザにとって利便性の高い種々の画像表示装置の利用形態が実現でき、例えば、カラオケなどを楽しむ環境を実現することで、ユーザに新たな楽しみ方を提供することができる。
【図面の簡単な説明】
【００４５】
【図１】本発明の一実施形態に係る画像表示装置としての液晶プロジェクタに、携帯機器としてのデジタルカメラを接続した状態の説明図である。
【図２】図１中の液晶プロジェクタの要部構成を示すブロック図である。
【図３】本発明の一実施形態に係る画像表示装置としての液晶プロジェクタに、携帯機器としての携帯電話機を接続した状態の説明図である。
【図４】図３中の携帯電話機の要部構成を示すブロック図である。
【図５】本発明の一実施形態に係る画像表示装置としての液晶プロジェクタに、携帯機器としての携帯電話機を接続した状態の説明図である。
【図６】本発明の一実施形態に係る画像表示装置としての液晶プロジェクタに、携帯機器としての携帯電話機を接続した状態の説明図である。
【図７】本発明の一実施形態に係る画像表示装置としての液晶プロジェクタに、携帯機器としての携帯電話機とカラオケ用のマイクとを接続した状態の説明図である。
【符号の説明】
【００４６】
１０１  液晶プロジェクタ
１０２  デジタルカメラ
１０３  ＵＳＢケーブル
１０４Ａ、１０４Ｂ、１０４Ｃ、１０４Ｄ、１０４Ｅ  表示画像
２０１  ＣＰＵ
２０２  メモリ
２０３  動画処理部
２０４  静止画処理部
２０５  ＯＳＤ処理部
２０６  スケーラ部
２０７  表示画像生成部
２０８  液晶駆動部
２０９  液晶パネル
２１０  音声処理部
２１１  スピーカ
２１２  音声Ｉ／Ｆ部
２１３  ＵＡＲＴ部
２１４  ＵＳＢＩ／Ｆ部
２１５  Flash CardＩ／Ｆ部
２１６  VideoＩ／Ｆ部
２１７  ＰＣＩ／Ｆ部
２１８  入出力Ｉ／Ｆ部
２１９  操作パネル
２２０  スイッチ部
２２１  割り込み制御部
３０１  携帯電話機
４０１  ＣＰＵ
４０２  メモリ
４０３  通信処理部
４０４  カメラ部
４０５  表示部
４０６  キー入力部
４０７  ＵＳＢＩ／Ｆ部
７０１  マイク
７０２  マイクケーブル
【図１】
2005215158.tif 000003
【図２】
2005215158.tif 000004
【図３】
2005215158.tif 000005
【図４】
2005215158.tif 000006
【図５】
2005215158.tif 000007
【図６】
2005215158.tif 000008
【図７】
2005215158.tif 000009